(57)【特許請求の範囲】
【請求項１】
形材の小口と、前記形材と接合される他の部材との間に介装される介装部材であって、
互いに硬さの異なる軟質部と硬質部とを有しており、
前記軟質部に前記小口が当接され、
前記硬質部に、前記小口及び前記他の部材の少なくともいずれか一方に嵌合される嵌合突起を備えており、
前記形材と前記他の部材とは、前記形材の長手方向に締め込まれるビスが、前記嵌合突起が嵌合される位置と異なる位置にて螺合されて接合され、
前記形材は、前記他の部材と接合するための前記ビスが螺合可能なビス螺合部を備え、
前記長手方向が上下方向に沿うように配置された前記形材の下端と前記他の部材との間に介在され、前記形材の上端側で前記ビスが螺合される前記ビス螺合部に前記嵌合突起が嵌合されることを特徴とする介装部材。
【請求項２】
請求項１に記載の介装部材であって、
前記小口の形状において、少なくとも閉じた領域を形成する部位における外縁の内側を除く部位が、前記軟質部に当接されることを特徴とする介装部材。
【請求項３】
請求項２に記載の介装部材であって、
前記小口が当接されたときに、前記閉じた領域の内側と外側を連通する空隙を形成する空隙形成部が設けられていることを特徴とする介装部材。
【請求項４】
請求項１乃至請求項３のいずれかに記載の介装部材を用いて接合された接合部を有することを特徴とする構造体。
【発明の詳細な説明】
【技術分野】
【０００１】
本発明は、形材の小口と、前記形材と接合される他の部材との間に介装される介装部材及びこの介装部材を用いて接合された接合部を有する構造体に関する。
【背景技術】
【０００２】
形材の小口と、前記形材と接合される他の部材との間に介装される介装部材及びこの介装部材を用いて接合された接合部を有する構造体としては、例えば、手摺枠と、手摺枠を支持する支柱との間に配設されるシール材及びシール材にて接合された支柱が知られている。シール材は、平板矩形状の合成ゴムなどの非通水性材料にて形成されており、支柱をなし中空な断面形状をなす角パイプ状にて形成された外柱と、手摺枠の底板との間に介装されて、底板とともに外柱に螺合されるビスにて固定されている。
【先行技術文献】
【特許文献】
【０００３】
【特許文献１】特開平１０―１４０７７７号公報
【発明の概要】
【発明が解決しようとする課題】
【０００４】
上記のようなシール材は、シール性を高めるために合成ゴムなどの軟質な部材が使用されることが一般的である。また、シール材は軟質な部材なので、介在されるシール材を挟む各部材の振動を抑える緩衝材としても用いられる。このように用いられる、シール材または緩衝材は変形しやすいため、シール材または緩衝材を挟む部材同士を適切な姿勢にて接合したり、また、安定した状態に支柱を維持させることが難しいという課題がある。
【０００５】
本発明は、かかる課題に鑑みてなされたものであり、その目的とするところは、挟持する部材をより適切な姿勢に接合するとともに安定した状態を維持させることが可能な介装部材及びこの介装部材を用いて接合された接合部を有する構造体を提供することにある。
【課題を解決するための手段】
【０００６】
かかる目的を達成するために本発明の介装部材は、形材の小口と、前記形材と接合される他の部材との間に介装される介装部材であって、互いに硬さの異なる軟質部と硬質部とを有しており、前記軟質部に前記小口が当接され、前記硬質部に、前記小口及び前記他の部材の少なくともいずれか一方に嵌合される嵌合突起を備えており、前記形材と前記他の部材とは、前記形材の長手方向に締め込まれるビスが、前記嵌合突起が嵌合される位置と異なる位置にて螺合されて接合され、前記形材は、前記他の部材と接合するための前記ビスが螺合可能なビス螺合部を備え、前記長手方向が上下方向に沿うように配置された前記形材の下端と前記他の部材との間に介在され、前記形材の上端側で前記ビスが螺合される前記ビス螺合部に前記嵌合突起が嵌合されることを特徴とする介装部材である。
このような介装部材によれば、形材と接合される他の部材との間に介装されて、形材の小口が軟質部に当接されるので、小口と他の部材との間に優れたシール性を備えるとともに緩衝材としても機能し振動及び振動による音の発生を防止することが可能である。また、硬質部に小口及び他の部材の少なくともいずれか一方に嵌合される嵌合突起が設けられているので、形材及び他の部材の少なくとも一方に嵌合突起が嵌合されることにより、形材及び他の部材の少なくとも一方に対し介装部材を適切な位置に配置することが可能である。このとき、形材及び他の部材の少なくとも一方に嵌合される嵌合突起は介装部材の硬質部に設けられているので、嵌合された嵌合突起により、嵌合された部材を仮止めまたは固定してより適切な姿勢とし安定した状態を維持させることが可能である。ここで、形材は、例えば、押出成形やフォーミング等により長手方向の全域に渡って単一の断面形状をなすように形成された部材、及び、単一の断面形状をなすように形成された後に、開口や切り欠きを設けるような後加工が施された部材を示している。
【０００７】
また、ビスが締め込まれて形材と他の部材とが接合される際には、介装部材及び形材がビスの回転とともに回動して所定の向きで接合できないおそれがあるが、上記のような介装部材によれば、嵌合突起が、少なくとも形材及び他の部材の一方と介装部材との回り止めとして機能するので、介装部材が、嵌合突起が嵌合された部材と適切な向きで、かつ、嵌合突起が嵌合された部材から外れることなく、形材と他の部材とを間に介装部材を介装させて接合することが可能である。
【０００８】
また、形材の下端と他の部材との間に介装された介装部材は、上端側にてビスが螺合されるビス螺合部に嵌合突起が嵌合されるので、嵌合突起が嵌合する部位をビス螺合部の他に設けることなく、介装部材を介装させて容易に形材と他の部材とを接合することが可能である。
【０００９】
かかる介装部材であって、前記小口の形状において、少なくとも閉じた領域を形成する部位における外縁の内側を除く部位が、前記軟質部に当接されることが望ましい。  
このような介装部材によれば、形材の小口において閉じた領域を形成する部位における外縁の内側と外側とを分けるようにシールするので、形材が他の部材と接合されて内部に空間が形成されるとしても、形成される空間内に水などの進入を防止することが可能である。
【００１０】
かかる介装部材であって、前記小口が当接されたときに、前記閉じた領域の内側と外側を連通する空隙を形成する空隙形成部が設けられていることが望ましい。  
このような介装部材によれば、小口が当接されたときには、空隙形成部により閉じた領域の内側と外側とを連通する空隙が形成されるので、たとえ、形材の内部に形成された空間に水が入り込んだとしても、空隙を通して外部に排出することが可能である。  
また、上記介装部材を用いて接合された接合部を有する構造体は、接合部のシール性及び防振性に優れ、嵌合された嵌合突起により、嵌合された部材を仮止めまたは固定してより適切な姿勢とし安定した状態を維持させることができるので、組み立てが容易であるとともに美観にも優れた構造体を提供することが可能である。
【発明の効果】
【００１１】
本発明によれば、挟持する部材同士をより適切な姿勢に接合するとともに安定した状態を維持させることが可能な介装部材及びこの介装部材を用いて接合された接合部を有する構造体を提供することが可能である。
【図面の簡単な説明】
【００１２】
【図１】第１実施形態に係る介装部材を用いて接合された接合部を有するフェンスの外観図である。
【図２】第１実施形態に係るフェンスの縦断面図である。
【図３】第１実施形態に係るフェンスの横断面図である。
【図４】支柱と横材及び横材と縦材との接合部を説明する図である。
【図５】第１実施形態における縦材と横材との接合部を説明する斜視図である。
【図６】第１実施形態に係る介装部材を示す平面図である。
【図７】第１実施形態に係る介装部材を示す斜視図である。
【図８】第２実施形態に係る介装部材を示す斜視図である。
【図９】第２実施形態における縦材と横材との接合部を説明する斜視図である。
【図１０】形材の小口の形状を説明するための図である。
【発明を実施するための形態】
【００１３】
以下、本発明の一実施形態に係る介装部材について図面を参照して説明する。  
本実施形態においては、本発明にかかる介装部材が用いられている、手摺りを備えたバルコニーのフェンスを例に挙げて説明する。
【００１４】
本実施形態のフェンス１は、図１〜図３に示すように、バルコニーの外縁をなす壁部３上に、互いに間隔を隔てて立設された複数（ここでは３本）の支柱５と、隣り合う支柱５の下部に架け渡される横材６と、支柱５の上端に架け渡される手摺り部材７と、横材６と手摺り部材７との間に設けられる形材としての縦材８と、横材６と縦材８との間に介装される介装部材１０と、を有している。本実施形態では、形材としての縦材８との間に介装部材１０が介装されて接合される横材６と、手摺り部材７が、形材と接合される他の部材の一例に相当する。尚、図１、図３においては、同一部材が複数示されている場合には、複数示された同一部材の一部のみに符号を付す。
【００１５】
支柱５は、断面が矩形状の角パイプ状をなす押出成形部材であり、内側に、壁部３を構成する躯体２に固定された固定部材４の鉛直方向に延びる柱部４ａが挿通され、柱部４ａにビス止めされている。互いに隣り合う支柱５の互いに対向する面の下部には、Ｌ字状をなす固定金具９が設けられている。Ｌ字状をなす固定金具９は、図４に示すように、一方の板部９ａが支柱５に取り付けられた状態で、他方の板部９ｂが隣り合う支柱５の互いに対向する方向に突出する水平面を形成している。
【００１６】
横材６は、３本の支柱５が並ぶ方向、すなわち壁部３に沿う左右方向を長手方向として配置され、隣り合う支柱５の間隔とほぼ同じ長さを有する押出成形部材である。横材６は、長手方向と直交する断面がほぼコ字状をなし、コ字状の開放されている側が下方に向けられて、互いに隣り合う支柱５に取り付けられた固定金具９の水平面上に載置されてビス１５にて固定されている。横材６の上面６ａには、図５に示すように、手摺り部材７との間に介在される縦材８を接合するための、対をなす貫通孔６ｂ、６ｃが、取り付けられる縦材８の位置に合わせて設けられている。対をなす貫通孔６ｂ、６ｃのうちの一方は、縦材８を接合するためのビス１６が貫通されるビス貫通孔６ｂであり、他方は、介装部材１０に設けられている、後述する反縦材嵌合突起１０ｆが嵌合される突起貫通孔６ｃである。
【００１７】
手摺り部材７は、支柱５及び縦材８の上端に渡るように配置され、各支柱５及び各縦材８に接合される架渡部材７ａと、架渡部材７ａの上に固定される手摺り本体７ｂとを有している。架渡部材７ａには横材６との間に介在される縦材８を接合するための、対をなす貫通孔(不図示)が、横材６と同様に取り付けられる縦材８の位置に合わせて設けられている。対をなす貫通孔は、縦材８を接合するためのビス１７が貫通されるビス貫通孔である。
【００１８】
縦材８は、形材の一例であり、角パイプ状をなす押出成形部材である。縦材８は、バルコニーの壁部３に沿う左右方向に長方形の短辺側が、バルコニーの奥行き方向に長方形の長辺側が、位置するように配置されている。縦材８は、上下方向に連通する中空部８ａを有し、奥行き方向におけるほぼ中央に、ビス１６が螺合可能なビス螺合部８ｂが左右の内面にそれぞれ設けられている。
【００１９】
介装部材１０は、横材６と縦材８の小口８ｅとの間に介装され、図６に示すように、小口８ｅが当接される縦材８の外径寸法より僅かに大きなほぼ長方形状をなしている。介装部材１０は、互いに硬さが異なる軟質部１０ａと硬質部１０ｂとを有しており、ほぼ平坦なシート状なす硬質部１０ｂの一方面側の外周に沿って、硬質部１０ｂより軟質の軟質部１０ａ（図６においてグレーに着色された部位）が設けられている。この介装部材１０は、軟質部１０ａと硬質部１０ｂとが二色成形された樹脂製の部材である。介装部材１０の四隅近傍には、図６、図７に示すように、左右方向の縁側に開放され、軟質部１０ａが設けられていない硬質部１０ｂのみの部位から軟質部１０ａが設けられている外縁に至る切欠部１０ｃが設けられている。切欠部１０ｃの内側に入り込んでいる部位の縁には、軟質部１０ａは設けられていない。ここで、縦材８は、小口８ｅの形状が閉じた領域を形成する部位における外縁が長方形状なので、長方形状をなす部位が軟質部１０ａに当接されたときに、切欠部１０ｃにより縦材８の内側と外側とを連通する空隙が形成される。このため、本実施形態では切欠部１０ｃが空隙形成部の一例に相当する。
【００２０】
また、介装部材１０は、縦材８と同様に、バルコニーの壁部３に沿う左右方向に長方形の短辺側が、バルコニーの奥行き方向に長方形の長辺側が位置し、軟質部１０ａ側が縦材８の小口８ｅと対向するように配置される。
【００２１】
介装部材１０の奥行き方向におけるほぼ中央には、当接される縦材８の小口８ｅに設けられている２つのビス螺合部８ｂの間隔に合うように、ビス貫通孔１０ｄと、介装部材１０の硬質部１０ｂのみの部位から両面に突出する嵌合突起１０ｅ、１０ｆとが設けられている。介装部材１０は、縦材８が当接されたときに２つのビス螺合部８ｂが、軟質部１０ａが設けられている部位と硬質部１０ｂのみの部位とに跨るように構成され、ビス貫通孔１０ｄ及びビス螺合部８ｂにてビスが螺合可能な空隙部８ｄが少なくとも硬質部１０ｂのみの部位に位置するように構成されている。
【００２２】
介装部材１０の両面に突出する嵌合突起１０ｅ、１０ｆの一方は、縦材８との間に介装部材１０が介装される横材６の突起貫通孔６ｃに嵌合される反縦材嵌合突起１０ｆであり、他方は、縦材８のビス螺合部８ｂの一方に嵌合される縦材嵌合突起１０ｅである。
【００２３】
支柱５に取り付けられた横材６と縦材８とを接合する際には、まず、横材６に設けられている突起貫通孔６ｃに、反縦材嵌合突起１０ｆを挿通し、横材６に介装部材１０の軟質部１０ａが設けられていない側の面を当接させる。その後、縦材嵌合突起１０ｅを縦材８の左右のビス螺合部８ｂのうちの一方に挿通しつつ縦材８の小口８ｅの周縁部８ｃを介装部材１０の軟質部１０ａに当接させる。
【００２４】
最後に、横材６側から、横材６のビス貫通孔６ｂ及び介装部材１０のビス貫通孔１０ｄを貫通させたビス１６を縦材８の左右のビス螺合部８ｂのうちの他方に螺合させることにより、横材６と縦材８とが、それらの間に介装部材１０を介装して接合される。
【００２５】
また、縦材８と手摺り部材７とを接合する際には、架渡部材７ａに設けられている２つのビス貫通孔を貫通させたビス１７を、縦材８の左右のビス螺合部８ｂに螺合させることにより架渡部材７ａと縦材８とを接合する。
【００２６】
本実施形態の介装部材１０によれば、縦材８と接合される横材６との間に介装されて、縦材８の小口８ｅが軟質部１０ａに当接されるので、小口８ｅと横材６との間に優れたシール性を備えるとともに緩衝材としても機能し、縦材８と横材６との間にて生じる振動による音の発生を防止することが可能である。また、硬質部１０ｂに小口８ｅのビス螺合部８ｂに嵌合される縦材嵌合突起１０ｅと横材６の突起貫通孔６ｃに嵌合される反縦材嵌合突起１０ｆとが設けられているので、縦材８に縦材嵌合突起１０ｅが、横材６に反縦材嵌合突起１０ｆが、それぞれ嵌合されることにより、縦材８と横材６とをより適切な相対位置に配置することが可能である。このとき、縦材８及び横材６に嵌合される縦材嵌合突起１０ｅと反縦材嵌合突起１０ｆとは介装部材１０の硬質部１０ｂのみの部位に設けられているので、縦材嵌合突起１０ｅと反縦材嵌合突起１０ｆが嵌合された縦材８及び横材６を仮止めして、より適切な姿勢とするとともに安定した状態を維持させて固定することが可能である。
【００２７】
また、ビス１６が締め込まれて縦材８と横材６とが接合される際には、介装部材１０及び縦材８がビス１６の回転とともに回動して所定の向きで接合できないおそれがあるが、上記実施形態のような介装部材１０によれば、縦材嵌合突起１０ｅ及び反縦材嵌合突起１０ｆが介装部材１０、縦材８、横材６及び架渡部材７ａの回り止めとして機能するので、適切な向きで、かつ、縦材８の小口８ｅの周縁部８ｃが介装部材１０から外れることなく、縦材８と横材６とを間に介装部材１０を介装させて接合することが可能である。
【００２８】
また、縦材８の下端と横材６との間に介在された介装部材１０は、上端側にてビス１７が螺合されるビス螺合部８ｂに縦材嵌合突起１０ｅが嵌合するので、縦材嵌合突起１０ｅが嵌合する部位をビス螺合部８ｂの他に設けることなく、介装部材１０を介装させて容易に縦材８を横材６に接合することが可能である。
【００２９】
また、介装部材１０により、縦材８の小口８ｅにおいて閉じた領域８ｆを形成する周縁部８ｃにおける長方形状の外縁の内側と外側とを分けるようにシールされるので、縦材８が横材６と接合されて内部の中空部８ａに水などの進入を防止することが可能である。
【００３０】
また、小口８ｅが介装部材１０に当接されたときには、切欠部１０ｃにより閉じた領域８ｆの内側と外側を連通する空隙が形成されるので、たとえ、縦材８の中空部８ａに水が入り込んだとしても、空隙を通して外部に排出することが可能である。
【００３１】
また、本実施形態の介装部材１０を用いて接合した接合部を有するフェンス１は、接合部のシール性及び防振性に優れており、嵌合された縦材嵌合突起８ｅ及び反縦材嵌合突起８ｆにより、介装部材１０が挟持される縦材８と横材６とが位置決めして仮止めされることにより、適切な姿勢とし安定した状態を維持させたうえでビスにて固定されるので、組み立てが容易であるとともに美観にも優れたフェンス１を提供することが可能である。
【００３２】
上記実施形態においては、介装部材１０がほぼ平坦な硬質部１０ｂの一方面側に軟質部１０ａが設けられている例について説明したが、これに限るものではない。例えば硬質部１０ｂの両面の外周部に軟質部１０ａが設けられていてもよい。また、図８，図９に示すように、介装部材１０の外周部が軟質部１０ａにて形成されており、その内側に硬質部１０ｂが設けられていてもよい。このように、介装部材１０が介装される２つの部材は、いずれも軟質部１０ａに当接可能な場合には、介装部材１０の両面にてシール性及び防振性を発揮することが可能なので、例えば、２本の形材の小口を互いに４５度に切除して突き合わせる場合などに適している。
【００３３】
上記実施形態においては、バルコニー等のフェンス１を構成する縦材８と横材６との間に介装部材１０が介在される例について説明したが、これに限らず、介装部材は、縦材８と手摺り部材７との間など、形材の小口と、他の部材との間であれば介装される場所はこの限りではない。すなわち、この介装部材１０を用いて接合される接合部を有する構造体もフェンスに限るものではなく、例えば、サッシ、ドアなどの建具、ロッカーなどの事務機器、家具等であっても構わない。
【００３４】
また、上記実施形態においては、形材としての縦材８の小口８ｅの形状は、長方形であり閉じた領域８ｆを形成する部位のみなので、縦材８の周縁部８ｃを軟質部１０ａに当接させたが、形材の小口の形状が閉じた領域を有していない場合には、小口全体を軟質部１０ａに当接させることにより、接合する形材と他の部材との間のシール性及び防振性を高めることが可能である。また、形材の小口の形状が閉じた領域の内側にも小口をなす部位を有する場合には、閉じた領域の内側は、硬質部及び軟質部のいずれに当接されていても構わない。
【００３５】
より具体的には、上記実施形態では形材である縦材８の断面形状を長方形状としたので、小口８ｅの形状において、長方形状の内側に閉じた領域８ｆが存在し、その外縁となる部位、すなわちビス螺合部８ｂを除く小口８ｅの全体が軟質部１０ａに当接される例について説明したが、例えば、閉じた領域の内側にリブなどにより小口を形成する部位が存在する場合であっても、少なくとも閉じた領域の外縁をなす部位が軟質部１０ａに当接していれば、閉じた領域の内外におけるシール性を確保することは可能である。また、図１０（ａ）、図１０（ｂ）に示すように、小口の形状において閉じた領域が存在しない場合には、少なくとも嵌合突起１０ｅ、１０ｆが嵌合されるビス螺合部８ｂが硬質部１０ｂに当接されるように構成されていればよい。このとき、ビス螺合部８ｂを除く部位の全ての部位が軟質部１０ａに当接されている必要はないが、介装部材１０ｂが介装される部位により適宜軟質部１０ａに当接されていればよい。例えば、介装部材１０を振動防止の緩衝材として使用する場合には、ビス螺合部８ｂを除く部位の全ての部位が軟質部１０ａに当接され、シール材として使用される場合には、シールしたい部位の境界部分が軟質部１０ａに当接されるように構成されていればよい。また、図１０（ｃ）の場合には、少なくとも閉じた領域をとなる長方形状の部位の外縁は軟質部１０ａに当接され、この外縁を挟んで内外を連通するように切欠部１０ｃが設けられていればよい。
【００３６】
また、接合される形材は、２本以上のビスにより他の部材と接合されている既存の部材と他の部材との間に用いることが可能であり、上記介装部材１０に合わせて形材を改めて製造しなくとも、既存の部材を使用することにより、製造コストを抑えることが可能である。すなわち、汎用性に優れた介装部材１０を提供することが可能である。
【００３７】
上記実施形態においては、縦材８の小口８ｅと横材６とのいずれにも嵌合する嵌合突起１０ｅ、１０ｆを設けた例について説明したが、嵌合突起は、いずれか一方のみに嵌合される嵌合突起が１つ設けられていてもよい。
【００３８】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００３９】
１  フェンス、６  横材、６ｂ  ビス貫通孔、６ｃ  突起貫通孔、
７  手摺り部材、７ａ  架渡部材、８  縦材、８ａ  中空部、
８ｂ  ビス螺合部、８ｃ  周縁部、８ｅ  小口、１０  介装部材、
１０ａ  軟質部、１０ｂ  硬質部、１０ｃ  切欠部、１０ｄ  ビス貫通孔、
１０ｅ  縦材嵌合突起、１０ｆ  反縦材嵌合突起、１６  ビス、１７  ビス
【図１】
0005886141.tif 000002
【図２】
0005886141.tif 000003
【図３】
0005886141.tif 000004
【図４】
0005886141.tif 000005
【図８】
0005886141.tif 000006
【図９】
0005886141.tif 000007
【図１０】
0005886141.tif 000008
【図５】
0005886141.tif 000009
【図６】
0005886141.tif 000010
【図７】
0005886141.tif 000011